(57)【要約】 【課題】  輸液装置を載置位置に載せるだけで固定状態にでき、またロック機構を解除しないと載置位置から輸液装置を取り外せないので、ナースを含む医療従事者以外のものによる取り外しを防止できる輸液装置用設置具およびこれを用いた使用方法の提供。【解決手段】輸液装置１を、基部２１の載置面２２で着脱可能かつ固定状態に保持する輸液装置用設置具２０であって、第１被係止部１０と第２被係止部１５を輸液装置に設け、第１被係止部に係止する第１係止部２３と、第２被係止部に対する係止状態と非係止状態との間で回動軸支され手動操作するときに操作されるロック機構手段を備えた操作レバーを備える。【選択図】図３
2007312860.tif 000002
【特許請求の範囲】
【請求項１】
シリンジ式輸液ポンプ、蠕動式輸液ポンプを含む輸液装置を、基部の載置位置で着脱可能かつ前記載置位置における固定状態に保持する輸液装置用設置具であって、
前記固定状態に保持するための第１被係止部と第２被係止部とを前記輸液装置に設け、  前記第１被係止部に係止するように前記載置位置に形成される第１係止部と、
前記第２被係止部に対する係止状態と非係止状態との間で、前記係止状態に常時移動する付勢力を有して回動軸支されるとともに、前記輸液装置が前記載置位置に移動されるにともない前記付勢力に抗して前記非係止状態に移動後に前記係止状態に復帰するように前記基部において配設される第２係止部材と、
前記第２係止部材を、前記係止状態から前記非係止状態に手動操作するときに操作されるロック機構手段と、を備えることを特徴とする輸液装置用設置具。
【請求項２】
前記第１被係止部と前記第２被係止部は、前記輸液装置の筐体の前壁面と後壁面に夫々形成されるとともに、
前記筐体の底壁面には前記載置位置に対する左右方向の位置決め部材を兼ねた１組の脚部が形成されることを特徴とする請求項１に記載の輸液装置用設置具。
【請求項３】
前記前壁面上に形成される前記第１被係止部は、前記第１係止部に潜入した後に前記筐体を前後方向に揺動可能にする溝形状を有し、
前記後壁面上に形成される前記第２被係止部は、前記第２係止部材の傾斜爪部が前記底壁面の角部から進入した後に、前記第２係止部材の係止面による当接によって前記係止状態を保持する凹溝形状を有することを特徴とする請求項２に記載の輸液装置用設置具。
【請求項４】
前記ロック機構手段は、
前記第２係止部材に穿設された軸支孔部に挿通されることで前記回動軸支するための軸体と、
前記軸体を長手方向に沿う待機位置に常時移動付勢するために前記基部との間に設けられる圧縮コイルバネを含む付勢部材と、
前記第２係止部材の前記軸支孔部から連続形成される溝部に対して潜入するように前記軸体に植設されるピン部材と、
前記基部の側面に形成されたストッパー部材に対してその側面が当接するとともに、前記軸体の端部に固定される操作レバー部材と、から構成され、
前記操作レバー部材を前記手動操作で移動し、前記軸体を前記待機位置から引張り位置に移動することで前記ストッパー部材に対する当接状態を解除するとともに、前記ピン部材が前記溝部に潜入する状態にした後に、前記軸体を回動位置に回動操作することで、前記第２係止部材の前記第２係止部に対する係止状態が解除され、
また、前記回動操作を止めると前記付勢部材により前記待機位置に復帰することを特徴とする請求項１乃至３のいずれか１項に記載の輸液装置用設置具。
【請求項５】
前記基部は、輸液スタンドのポールに対して任意の高さで固定されるクランプ装置に固定されて使用されるとともに、
前記載置位置の載置面は、前記シリンジ式輸液ポンプの場合に前方にかけて傾斜して形成され、前記蠕動式輸液ポンプの場合には水平に形成されることを特徴とする請求項１乃至４のいずれか１項に記載の輸液装置用設置具。
【請求項６】
前記第１被係止部と前記第２被係止部とを形成した専用部材を前記輸液装置に対して固定することで既に使用中の輸液装置を使用可能にすることを特徴とする請求項１に記載の輸液装置用設置具。
【請求項７】
シリンジ式輸液ポンプ、蠕動式輸液ポンプを含む輸液装置を、基部の載置位置で着脱可能かつ前記載置位置における固定状態に保持する輸液装置用設置具の使用方法であって、  前記固定状態に保持するための第１被係止部と第２被係止部とを前記輸液装置に設け、  前記第１被係止部に係止するように前記載置位置に形成される第１係止部と、前記第２被係止部に対する係止状態と非係止状態との間で、前記係止状態に常時移動する付勢力を有して回動軸支されるとともに、前記輸液装置が前記載置位置に移動されるにともない前記付勢力に抗して前記非係止状態に移動後に前記係止状態に復帰するように前記基部において配設される第２係止部材と、前記第２係止部材を前記係止状態から前記非係止状態にするときに操作されるロック機構手段とを備え、
前記ロック機構手段を手動操作することにより前記輸液装置を前記基部の前記載置位置で着脱可能かつ前記載置位置における固定状態で保持することを特徴とする輸液装置用設置具の使用方法。
【発明の詳細な説明】
【技術分野】
【０００１】
本発明は、輸液装置用設置具およびこの使用方法に係り、特に各種輸液装置を簡単に固定でき、看護士を含む医療従事者のみが取り外すことのできる専用設置具に関する。
【背景技術】
【０００２】
医療現場では、輸液チューブに蠕動運動を与えることで輸液を行う蠕動式輸液ポンプやシリンジを用いて精度の高い輸液を行うように構成されたシリンジ式輸液ポンプが用いられている。（特許文献１）
図８は、従来の使用例をシリンジ式輸液ポンプについて図示した外観斜視図である。本図において、シリンジＳを装填後にシリンジ式輸液ポンプ１００を用いて輸液を行うときに、輸液スタンド１３３から起立状態で固定されたポール３３に対して固定するクランプ装置３０が使用される。このクランプ装置３０には図示のように設置具３００が固定されており、この設置具３００の載置面３０２上にシリンジ式輸液ポンプ１００を固定して使用される。
【０００３】
また、特に複数の輸液装置を移動させる際には、共通の輸液スタンド１３３のポール３３の上下方向に沿うように各種の輸液装置を固定することで、特定患者の搬送時や患者の輸液中における移動が可能となる。
【０００４】
さらに、各種の輸液装置は、別の患者の治療のために輸液スタンド１３３から頻繁に取り外されて、別の輸液スタンドに固定される場合が多い。このため、輸液スタンドのクランプ装置３０は重要となる。このクランプ装置３０は、異なる直径のポール３３の一方の外周面を把持する把持形状部と把持形状部に対向配置される起立形状部とを一体形成したクランプ基部３２と、ポール３３の他方の外周面を把持する把持部材３４をその端部に設けた主軸体と、主軸体の他端に固定される回転ノブ３１とから構成されており、回転ノブ３１の正逆方向の回動操作によって各種の輸液装置をポール３３を有する各種輸液スタンド１３３に対して着脱可能にしている。
【０００５】
一方、設置具３００は、載置面３０２の略中央に固定用ネジ３０１が設けられており、この固定用ネジ３０１をシリンジ式輸液ポンプ１００の筐体の底面に形成された雌ネジ部１０３に対して螺合させることで固定している。
【特許文献１】特許第３５０２０８６号公報
【発明の開示】
【発明が解決しようとする課題】
【０００６】
しかしながら、上記の設置具３００によれば、シリンジ式輸液ポンプ１００を取り外すときに、落下防止のために一方の手で輸液装置を支えておき、他方の手で固定用ネジ３０１を何回転も回し続ける必要がある一方で、固定を行う際には、これとは逆の手順を行う必要があり面倒となる場合があった。
【０００７】
このため時間的ロスと、看護士などの肉体的負担を少なからず招く結果、特に日常的に緊急を要することが多い医療現場で改善が望まれていた。
【０００８】
したがって、本発明は上記の事情に鑑みてなされたものであり、輸液装置を載置位置に載せるだけで自動的に固定状態にすることができ、またロック機構を解除しないと載置位置から輸液装置を取り外せないようにして、看護士を含む医療従事者以外のものによる取り外しを防止することのできる輸液装置用設置具およびこれを用いた使用方法の提供を目的としている。
【課題を解決するための手段】
【０００９】
以上の課題を解決するために、本発明によれば、シリンジ式輸液ポンプ、蠕動式輸液ポンプを含む輸液装置を、基部の載置位置で着脱可能かつ前記載置位置における固定状態に保持する輸液装置用設置具であって、前記固定状態に保持するための第１被係止部と第２被係止部とを前記輸液装置に設け、前記第１被係止部に係止するように前記載置位置に形成される第１係止部と、前記第２被係止部に対する係止状態と非係止状態との間で、前記係止状態に常時移動する付勢力を有して回動軸支されるとともに、前記輸液装置が前記載置位置に移動されるにともない前記付勢力に抗して前記非係止状態に移動後に前記係止状態に復帰するように前記基部において配設される第２係止部材と、前記第２係止部材を、前記係止状態から前記非係止状態に手動操作するときに操作されるロック機構手段とを備えることを特徴としている。
【００１０】
また、前記第１被係止部と前記第２被係止部は、前記輸液装置の筐体の前壁面と後壁面に夫々形成されるとともに、前記筐体の底壁面には前記載置位置に対する左右方向の位置決め部材を兼ねた１組の脚部が形成されることを特徴としている。
【００１１】
また、前記前壁面上に形成される前記第１被係止部は、前記第１係止部に潜入した後に前記筐体を前後方向に揺動可能にする溝形状を有し、前記後壁面上に形成される前記第２被係止部は、前記第２係止部材の傾斜爪部が前記底壁面の角部から進入した後に、前記第２係止部材の係止面による当接によって前記係止状態を保持する凹溝形状を有することを特徴としている。
【００１２】
また、前記ロック機構手段は、前記第２係止部材に穿設された軸支孔部に挿通されることで前記回動軸支するための軸体と、前記軸体を長手方向に沿う待機位置に常時移動付勢するために前記基部との間に設けられる圧縮コイルバネを含む付勢部材と、前記第２係止部材の前記軸支孔部から連続形成される溝部に対して潜入するように前記軸体に植設されるピン部材と、前記基部の側面に形成されたストッパー部材に対してその側面が当接するとともに、前記軸体の端部に固定される操作レバー部材とから構成され、前記操作レバー部材を前記手動操作で移動し、前記軸体を前記待機位置から引張り位置に移動することで前記ストッパー部材に対する当接状態を解除するとともに、前記ピン部材が前記溝部に潜入する状態にした後に、前記軸体を回動位置に回動操作することで、前記第２係止部材の前記第２係止部に対する係止状態が解除され、また、前記回動操作を止めると前記付勢部材により前記待機位置に復帰することを特徴としている。
【００１３】
また、前記基部は、輸液スタンドのポールに対して任意の高さで固定されるクランプ装置に固定されて使用されるとともに、前記載置位置の載置面は、前記シリンジ式輸液ポンプの場合に前方にかけて傾斜して形成され、前記蠕動式輸液ポンプの場合には水平に形成されることを特徴としている。
【００１４】
また、前記第１被係止部と前記第２被係止部とを形成した専用部材を前記輸液装置に対して固定することで既に使用中の輸液装置を使用可能にすることを特徴としている。
【００１５】
そして、シリンジ式輸液ポンプ、蠕動式輸液ポンプを含む輸液装置を、基部の載置位置で着脱可能かつ前記載置位置における固定状態に保持する輸液装置用設置具の使用方法であって、前記固定状態に保持するための第１被係止部と第２被係止部とを前記輸液装置に設け、前記第１被係止部に係止するように前記載置位置に形成される第１係止部と、前記第２被係止部に対する係止状態と非係止状態との間で、前記係止状態に常時移動する付勢力を有して回動軸支されるとともに、前記輸液装置が前記載置位置に移動されるにともない前記付勢力に抗して前記非係止状態に移動後に前記係止状態に復帰するように前記基部において配設される第２係止部材と、前記第２係止部材を前記係止状態から前記非係止状態にするときに操作されるロック機構手段とを備え、前記ロック機構手段を手動操作することにより前記輸液装置を前記基部の前記載置位置で着脱可能かつ前記載置位置における固定状態で保持することを特徴としている。
【発明の効果】
【００１６】
本発明の輸液装置用設置具およびこの使用方法によれば、輸液装置を載置位置に載せるだけで自動的に固定状態にすることができ、またロック機構を解除しないと固定位置から輸液装置を取り外せないので医療従事者以外のものによる取り外しを効果的に防止できる輸液装置用設置具およびこれを用いた使用方法を提供することができる。
【発明を実施するための最良の形態】
【００１７】
以下に、本発明の好適な一実施形態について、添付の図面を参照して説明する。
【００１８】
尚、後述する説明では、従来の設置具を基本とした構成を主に述べるが、これに限定されず特許請求の範囲に既定される各種の構成があることは言うまでもない。また、輸液装置としてはシリンジポンプと輸液チューブの蠕動運動を行うように構成されたペリスタリックフィンガ方式の蠕動式輸液ポンプの使用を前提にしているが、これらに限定さされず、他の方式の輸液装置である例えば回転ローラを備えたローラ式輸液ポンプ等の各種の輸液装置にも適宜適用できることは言うまでもない。
【００１９】
さらに、本発明の設置具は輸液スタンドのポール以外にも、ベットサイドや病室内の壁面などにも任意に固定できる。
【００２０】
先ず、図１は、シリンジを用いる輸液装置であるシリンジポンプ１を斜め前方から見た外観斜視図である。本図において、シリンジ式輸液ポンプ１は従来のタイプに比較して約１０％前後の小型化を実現するとともに、下方の筐体２の左側面からハンドル７を一体形成している。また、筐体２の底壁面２ａには距離Ｗをその谷部として形成される１組の脚部８、８が一体成型されている。また、脚部８、８の間には第１被係止部１０が形成されている。また、シリンジポンプ１の上方の筐体にはシリンジ外筒（本体）のフランジ部をセットするための溝部９と、シリンジの筒部を載置する載置部４とが一体樹脂成型されている。
【００２１】
さらにまた、シリンジポンプ１の上面３には、シリンジの本体を固定することでシリンジの直径寸法を自動検出するように構成された把持部材５と、シリンジの押子をセットするスライダー６が設けられており、押子が最大の位置に引き出された状態でスライダー６にセットすることで、内蔵の不図示の機構によりスライダー６が矢印方向に移動されるように駆動されることで、正確な薬液が不図示の輸液チューブを介して送液されるように構成されている。
【００２２】
次に、図２は、本発明による設置具２０の第１実施形態になる外観斜視図である。本図において、設置具２０は載置面２２を図示のように斜めに形成した基部２１を備えており、以下に説明する各部品は全てこの基部２１の裏側から挿入および固定されることで、外観面にはネジ類が露出しないように配慮されている。この基部２１は、エンジニアリングプラスチックを含む樹脂材料から射出成型されることで安定供給でき、かつまた安価に構成される。また、射出成型を行う関係上から偏肉防止を兼ねたリブが多数一体成型されることとなる。無論、この基部２１を樹脂成型品以外の金属製、木製、樹脂と金属のハイブリット材料などから準備することも可能である。
【００２３】
基部２１の載置面２２の幅寸法Ｗは、図１で示した脚部８、８間の距離Ｗよりクリアランス分少なく設定されており、シリンジポンプ１の底面２ａを載置面２２上に載せるときに自動的に載置位置になることで左右方向の位置決めを行えるように構成されている。
【００２４】
また、上記の第１被係止部（第１の凹状被係止部）１０が第１係止部（第１の凸状係止部）２３に潜入されるとともに、可動の第２係止部材２４の傾斜爪部２４ａが矢印Ｄ３方向に移動されて破線図示の位置に一旦移動された後に、後述する第２被係止部に対して係合するように実線図示の位置に復帰することでシリンジ式輸液ポンプ１の前後方向の位置決めが行われる。
【００２５】
ここで、第１被係止部１０が前方に設けられ第２被係止部が後方に設けられる場合について述べるが、この位置関係は逆であっても良いことは言うまでもない。
【００２６】
また、基部２１の後方にはクランプ装置に固定するときの雌ネジ部となるインサートナット１１が図示のように４箇所にインサート成型されている。
【００２７】
基部２１の側面には操作レバー１３が設けられている。この操作レバー１３は、その側面が基部２１の側面から一体成型されたストッパー部１２に当接することで図示の位置では回動できないように設けられている。また、この操作レバー１３は矢印Ｄ２方向に引っ張られることでストッパー部１２に対する当接が解除され、矢印Ｄ１方向に回動操作できるように構成されている。
【００２８】
図３は、図２のＸ−Ｘ線矢視断面図であって、輸液スタンドのポール３３に対してクランプ装置３０を介して載置具２０が固定されるとともに、上記のシリンジ式輸液ポンプ１の底面２ａを載置面２２上に載せる直前の様子を図示している。
【００２９】
本図において、既に説明済みの構成または部品については同様の符号を附して説明を割愛すると、第１被係止部１０は筐体２の前壁面に図示のような三角形状の溝部として一体形成されている。
【００３０】
また、第２被係止部（第２の凹状被係止部）１５は筐体２の後壁面上において凹溝形状を有するように一体形成されるとともに、底壁面２ａとの間に形成された角部２ｃがその下方に一体形成されている。載置面２２に向けて図示の突出形成される山型の第１係止部２３は第１被係止部１０に対して潜入することで輸液ポンプ１全体が前後方向に回動できるようにする。また、第２被係止部１５は、第２係止部材（第２の凸状係止部）２４の傾斜爪部２４ａが底壁面の角部２ｃに当接することで矢印Ｄ３方向に移動するように回動するように設けられている。このため第２係止部材２４は軸体１６周りに回動軸支されており、付勢手段としての圧縮コイルバネ１７の作用で元の位置に復帰するように基部２１内に内蔵されている。
【００３１】
一方、クランプ装置３０は基部２１にインサート成型されたインサートナット１１に対して螺合される４本の皿ネジ４４を用いてクランプ基部３２が固定されている。そこで、このクランプ装置３０の回転ノブ３１を上記のように回転することで全体をポール３３に対する最適な高さ位置に固定するように構成されている。
【００３２】
次に、図４は図３に示した構成を図３のＸ−Ｘ線方向から見た立体分解図である。本図において、既に説明済みの構成または部品については同様の符号を附して説明を割愛すると、先ず基部２１の裏面は図示のような多数のリブを備えており、上記のインサートナット１１をインサート成型するためのボス部がリブにより補強されて設けられている。また、これらのインサートナット１１の左右部位には軸受ブロック２７固定用のインサートナット４０が奥まった位置に夫々インサート成型されている。
【００３３】
一方、軸体１６は例えば直径６ｍｍのステンレス丸棒を旋盤加工して準備され、この軸体１６の一部をフライス加工後に孔部１６ａと、溝部１６ｂとネジ部１６ｃとが図示のように加工される。この軸体１６の溝部１６ｂに止め輪であるＥリング３５を圧入して固定後に、軸受ブロック２７の孔部２７ｂを挿通し、次に第２係止部材２４の孔部２４ｂを挿通し、軸体１６の孔部１６ａに広がるスプリング力を有したピン部材２９を圧入し、この第２係止部材２４の溝部２４ｃにピン部材２９が入るようにし、２つ目の軸受ブロック２７の孔部２７ｂを挿通する。この後に、圧縮コイルバネ１７の底面を基部２１のスタッド３８にセットし、上面を第２係止部材２４の有底穴部２４ｄ中にセットし、さらにコイルバネ３６を軸体１６に挿入させ、基部２１の孔部２１ａに挿通させることで、軸体１６が図中の二点鎖線で示される位置にセットされる。次に、皿ネジ２８を各軸受ブロック２７の孔部に挿通し、インサートナット４０に螺合して固定する。
【００３４】
そして、操作レバー１３の穴部１３ｂを軸体１６中にセットし、穴部１３ｂから直交して穿設された穴部に小ネジ４１とスプリングワッシャー４２をセットし、小ネジ４１をネジ孔部１６ｃに螺合させて完成する。操作レバー１３は、後述のように引張り操作されるので縁部に把持部１３ａを形成している。
【００３５】
図５（ａ）は輸液装置１が回動位置にある状態を示し、（ｂ）は輸液装置１が係止状態にある状態を示した図３に続く動作説明図である。
【００３６】
本図において、既に説明済みの構成または部品については同様の符号を附して説明を割愛すると、図５（ａ）において輸液装置１が矢印Ｄ方向に移動されて上記のように位置決めされて載置面２２に置かれることで、第１係止部２３が第１被係止部１０に係止する状態となる。このとき、角部２ｃは第２係止部材２４の傾斜爪部２４ａ上に位置しており、さらに輸液装置１を下方に自重で移動することで圧縮コイルバネ１７が圧縮される状態になり矢印Ｄ３方向に軸体１６周りに回動し、角部２ｃを傾斜爪部２４ａの先端が超える状態になる。その後さらに下方に移動されることで図５（ｂ）に図示のように係止面２４ｋが第２係止部１５の側面に潜入する係止状態になることで保持されることとなる。
【００３７】
以上のようにワンタッチで輸液装置１を載置具に対して固定できるようになる。
【００３８】
次に、輸液装置１を載置位置から取り外すときには、看護師を含む医療従事者以外のものによる取り外しを防止するために、上記の操作レバー１３は２段階操作のダブルアクションにより操作されるように構成されている。
【００３９】
図６（ａ）〜（ｃ）は、操作レバー１３の操作説明図である。本図において、既に説明済みの構成または部品については同様の符号を附して説明を割愛すると、図６（ａ）において、待機位置では第２係止部材２４の孔部から連続形成される溝部２４ｃからピン部材２９が離れている。また、コイルバネ３６の圧縮作用により操作レバー１３は矢印方向に引っ張られる状態になっている。このとき基部２１の側面に形成されたストッパー部材１２に対して操作レバー１３の側面が当接しており、操作レバー１３は回動できない。
【００４０】
次に、図６（ｂ）において操作レバー１３の把持部１３ａを把持して手動操作で矢印Ｄ２方向に移動することでコイルバネ３６が基部２１の内壁とＥリング３５の間で圧縮されることで、軸体１６が待機位置から引張り位置に移動される。このときストッパー部材１２に対する当接状態が解除されるとともに、ピン部材２９が溝部２４ｃに潜入する状態になる。
【００４１】
この後、図６（ｃ）において、操作レバー１３を矢印Ｄ１方向に回動操作することで、軸体１６が矢印Ｄ４方向に回動され、ピン部材２９を介して回動力が第２係止部材２４に対して伝達されることで、基部２１の開口部１８から傾斜爪部２４ａの先端が引っ込むように矢印Ｄ５方向に回動される。この結果、第２被係止部１５に対する係止状態が解除される。また、操作レバー１３の回動操作を止めるように把持を解除するとコイルバネ３６と圧縮コイルバネ１７とが元に戻ることで待機位置に復帰する。なお、ストッパー部材１２、コイルバネ３６等を設けず、レバー１３を基部２１の底部などに設け、看護師等の医療従事者のみが１回のレバー操作で簡単に取り外しできる構成にしても良い。
【００４２】
ここで、載置位置の載置面２２は、シリンジ式輸液ポンプ１の場合に前方にかけて傾斜して形成されており、操作性を向上していたが、蠕動式輸液ポンプの場合には水平に設置しなければならない。
【００４３】
図７は蠕動式輸液ポンプの場合には水平に設置した様子を示した要部断面図である。本図において、既に説明済みの構成または部品については同様の符号を附して説明を割愛すると、蠕動式輸液ポンプ１０１は輸液バッグに接続される輸液チューブ１０２を開閉自在のドア１１０と蠕動運動を行うフィンガー１０６との間に挟むようにして蠕動運動に伴う輸液を行うように構成されている。
【００４４】
この底面には第１被係止部１０と第２被係止部１５とを形成した専用部材２００がネジ２０１を用いて固定されている。このため既に使用中の輸液装置を使用可能にすることができる。
【００４５】
または、蠕動式輸液ポンプ１０１の筐体に第１被係止部１０と第２被係止部１５とを一体成型しても良い。
【００４６】
一方、基部２１は病室内の壁面にブラケット４５を介して固定されているので、簡単に着脱できることになる。
【００４７】
以上説明したようにシリンジ式輸液ポンプ１、蠕動式輸液ポンプ１０１を含む輸液装置を、基部２１の載置面２２上で着脱可能かつ載置位置における固定状態に保持することができるとともに、係止状態から非係止状態にするときに２段階操作されるロック機構を備えた操作レバー１３を設けることで、医療従事者は簡単に着脱および交換できる。この結果、特に緊急時において迅速に対応できることとなる。
【図面の簡単な説明】
【００４８】
【図１】は、シリンジを用いる輸液装置であるシリンジポンプ１を斜め前方から見た外観斜視図である。
【図２】は、本発明による設置具２０の第１実施形態になる外観斜視図である。
【図３】は、図２のＸ−Ｘ線矢視断面図であって、輸液スタンドのポール３３に対してクランプ装置３０を介して載置具２０が固定されるとともに、上記のシリンジ式輸液ポンプ１の底面２ａを載置面２２上に載せる直前の様子を図示している。
【図４】は、図３に示した構成を図３のＸ−Ｘ線方向から見た立体分解図である。
【図５】（ａ）はシリンジポンプ１が回動位置にある状態を示し、（ｂ）はシリンジポンプ１が係止状態にある状態を示した図３に続く動作説明図である。
【図６】（ａ）〜（ｃ）は、操作レバー１３の操作説明図である。
【図７】は、蠕動式輸液ポンプの場合には水平に設置した様子を示した要部断面図である。
【図８】は、従来例をシリンジポンプについて図示した外観斜視図である。
【符号の説明】
【００４９】
１  シリンジポンプ
２  筐体
８  脚部
１０  第１被係止部
１１  インサートナット
１２  ストッパー部
１３  操作レバー
１５  第２被係止部
１６  軸体
１７  圧縮コイルバネ
１８  開口部
２０  設置具
２１  基部
２２  載置面
２３  第１係止部
２４  第２係止部材
２９  ピン部材
３０  クランプ装置
３６  コイルバネ
１０１  蠕動式輸液ポンプ
２００  専用部材
【図１】
2007312860.tif 000003
【図２】
2007312860.tif 000004
【図３】
2007312860.tif 000005
【図４】
2007312860.tif 000006
【図５】
2007312860.tif 000007
【図６】
2007312860.tif 000008
【図７】
2007312860.tif 000009
【図８】
2007312860.tif 000010